(57)【特許請求の範囲】
【請求項１】
複数回の差込み繰り返しが可能な、医学的な分野で使用される、電気的なケーブル（６０）のための差込み接続部（１０）であって、プラグ部分（２０）と、互いに逆側に突き出す２つのコンタクト部分（４０）を備えたソケット部分（３０）とを有している形式のものにおいて、
前記プラグ部分（２０）が、前記ソケット部分（３０）内に回動防止されて差し込み可能で、該ソケット部分（３０）と電気的な接触を形成するようになっており、前記ソケット部分（３０）が、前記プラグ部分（２０）を受容するための、該プラグ部分（２０）に対して相補的に構成された通路（３５）を有しており、前記２つのコンタクト部分（４０）が、前記通路（３５）内に突入するコンタクトエッジ（５０）を有しており、前記プラグ部分（２０）が、電気的に絶縁された成形部として構成されており、該成形部が、電気的なケーブル（６０）の、それぞれ絶縁部によって被覆された導線（６３）を接触側で位置決めしながら包囲していて、ストッパ（２００）を有しており、前記プラグ部分（２０）が前記ソケット部分（３０）の前記通路（３５）内に導入される際に、該プラグ部分（２０）の導入が前記ストッパ（２００）によって制限されており、前記通路（３５）内に突入する、前記コンタクト部分（４０）の前記コンタクトエッジ（５０）が、前記電気的なケーブル（６０）の絶縁部（６５）の、それぞれ前記コンタクトエッジ（５０）に面した側に食い込ようになっており、それによって前記電気的なケーブル（６０）の導線（６３）と前記ソケット部分（３０）の前記コンタクト部分（４０）とが接触せしめられるようになっていることを特徴とする、電気的なケーブル（６０）のための差込み接続部。
【請求項２】
前記プラグ部分（２０）が、前記ソケット部分（３０）と前記プラグ部分（２０）とを正確に位置決めしながら互いにガイドするために、回動防止（７５）として用いられる横断面を有しており、該横断面が、少なくとも中心軸線に対して非軸線対称的な横断面形状を有している、請求項１記載の第１の差込み接続部。
【請求項３】
前記プラグ部分の前記成形部（２０）が、端面側から延在する、前記コンタクトエッジ（５０）のガイドとして用いられる切欠（８０）を備えており、電気的なケーブル（６０）が前記成形部の端面側（７０）に対して所定の間隔を保って終わっていて、前記切欠（８０）と前記電気的なケーブル（６０）の自由端部との間の成形部に、薄い層（９０）が設けられている、請求項２記載の差込み接続部。
【請求項４】
前記成形部（２０）が、プラスチックで射出成形によって、電気的な導線（６３）の電気的な絶縁部に一体的に組み込まれている、請求項１から３までのいずれか１項記載の差込み接続部。
【請求項５】
前記成形部（２０）が、電気的な導線（６３）の電気的な絶縁部（６５）に載せられ、緊締結合及び／又は押しつぶし結合及び／又はスナップ結合によって保持されている、請求項１から３までのいずれか１項記載の差込み接続部。
【請求項６】
前記プラグ部分（２０）のコンタクト部分（４０）の前記コンタクトエッジ（５０）が、ガイド軸線に対して折り曲げられた第１の領域（１５０）と、導入軸線に対して折り曲げられた第２の領域（１６０）とを有しており、該第２の領域（１６０）が、電気的な導線（６３）の導電性の領域（６３）を被覆する絶縁部（６５）及び場合によっては導電性の領域（６３）の小さい部分を切り込むために、前記第１の領域に続いて設けられており、前記プラグ部分（２０）と前記ソケット部分（３０）とを互いにガイドする際に、まず前記コンタクトエッジ（５０）の第２の領域（１６０）が電気的な導線（６３）と接触し、第２の領域（１６０）の角度が前記第１の領域（１５０）の角度よりも大きい、請求項１から５までのいずれか１項記載の差込み接続部。
【請求項７】
前記第１の領域（１５０）が４０°〜５０°の角度を有していて、前記第２の領域（１６０）が１０°〜３０°の角度を有している、請求項６記載の差込み接続部。
【請求項８】
前記ソケット部分（３０）の前記通路（３５）が、導入開口とは反対側の端部領域で、前記通路（３５）内に収集された汚れを排出させるための開口（２１０）を有している、請求項１から７までのいずれか１項記載の差込み接続部。
【請求項９】
医学的な胎児頭皮電極に使用する、請求項１から８までのいずれか１項記載の差込み接続部。
【請求項１０】
前記ソケット部分（３０）が、該ソケット部分（３０）とは別の構成部分（３００）に解除可能に接続するための手段（３２０）を有している、請求項９記載の差込み接続部。
【発明の詳細な説明】
【０００１】
本発明は、第２のコンタクト部分との電気的な接触を形成する第１のコンタクト部分であって、２つのコンタクト部分を互いにガイドする際にコンタクトエレメントが電気的な導線内に食い込むことによって第１のコンタクト部分と第２のコンタクト部分との電気的な接触が形成されるようになっている形式のものに関する。
【０００２】
差込み接続は、１つ又は多数のコンタクトの、一般的に解除可能又は解除不能な接続部であって、この場合、電気的な接触は、互いに差し込まれる相補的なコンタクト部分例えばプラグ、ソケット等によって行われる。
【０００３】
解除可能なコンタクトにおいては、接続は規則的に、一方のコンタクト部分がばね弾性的に他方のコンタクト部分に当接するか又は他方のコンタクト部分に緊締されるような形式で行われる。この場合、非常に多くのバリエーションがある。つまり例えばソケットとばね弾性的なピン、ばね弾性的なソケットとピン、平らな板ばね、剪断緊締（Ｓｃｈｅｒｋｌｅｍｍｅｎ）、心線による緊締、ピンより緊締、心線又はピンによるねじ緊締その他の多くのバリエーションがある。このような形式の差込み接続は頻繁な繰り返し差込みのために一般的に設けられている。
【０００４】
解除可能な接続とは異なり、解除不能な電気的な接続においては、規則的に１回だけの解除不能な電気的な接続を成す電気的な接触を形成しなければならない。解除不能な電気的な接続とは、圧接エッジ部材を用いて絶縁ケーブルを通して１回だけの接触を行う、圧接結線接続のことである。この場合の接触は、一般的な形式で電気導線の被覆部に対して垂直に行われる。
【０００５】
厳密な意味での解除可能な又は解除不能な接続の他に、程度の差はあるが頻繁な繰り返し差込みを行うために設計された、つまり差込み繰り返しの所定の回数のために設けられた圧接結線接続等の混合形式もある。このような圧接結線接続は、例えばヨーロッパ公開特許第１３１７０５号明細書又は国際公開第９８／２９０３１号明細書に記載されている。
【０００６】
解除可能な電気的な接続のための典型的な例は、出産モニターの医学的な分野において、胎児の心機能をモニターするためのいわゆる胎児の頭の皮電極又は胎児頭皮電極（ｆｅｔａｌ−Ｓｋａｌｐ−Ｅｌｅｋｔｒｏｄｅ）のために使用されている。胎児頭皮電極によって、まだ生まれていない胎児から２つの電極を用いてＥＫＧ（心電図）が取り出される。この場合、頭皮電極側には、錫メッキされた２つの開放した（絶縁被覆が剥がされた）心線が位置しており、これらの心線は、ばね弾性的な２つのジョーとの接触のための対応コンタクトとして装置側に設けられている。このような形式の胎児頭皮電極は、本特許出願人によって特にアメリカ合衆国特許第５４２３３１４号明細書又は同第３７５０６５０号明細書に記載されている。
【０００７】
従って、このような胎児頭皮電極は、その他の医学的な使い捨て用品と同様に可能な限り安価なものでなければならない。この場合、簡単な裸のコンタクト心線が、このようなコストの条件を満たすことができる。
【０００８】
ＦＤＡ（Ｆｏｏｄ  ａｎｄ  Ｄｒｕｇ  Ａｄｍｉｎｉｓｔｒａｔｉｏｎ）又はＭＤＤ（Ｍｅｄｉｃａｌ  Ｄｅｖｉｃｅ  Ｄｉｒｅｃｔｉｖｅ）等の国際規定によれば、胎児頭皮電極においては、接触エラーから患者を保護するために、開放した導電性の心線が絶縁性の差込み接続部を絶縁された差込み接続部に変えなければならない。
【０００９】
胎児頭皮電極における別の要求は、プラグ部分ができるだけ小さいものでなければならないということである。何故ならば公知の実施形態においては導入器具の内管を通して容易に引き抜くことができなければならないからである。
【００１０】
特に前記のような安全規定を有する胎児頭皮電極のためのこのような形式の差込み接続部は、ヨーロッパ公開特許第４８４１０７号明細書により公知である。このような形式の差込みシステムにおいては、（公知のラチェット形差込み結合部に相応して）２つの心線が絶縁されたソケットに結合されていて、この絶縁されたソケットがピンに被せ嵌められるようになっている。しかしながらこのような要求においては、プラグ部分の大きさ限界に基づいてプラグ部分は非常に高価であって製造には高いコストがかかるという欠点がある。
【００１１】
発明の要約
そこで本発明の課題は、一方では例えば前記安全規定を満たすために絶縁された差込み接続部を用いることができ、他方ではプラグ部分の寸法をできるだけ小さくすることができるような電気的な接触形式を提供することである。本発明による接触形式は、例えば胎児頭皮電極等の特に医学的な使い捨て用品のために適したできるだけ安価な差込み接触を可能にするものでなければならない。この課題は、独立請求項に記載した特徴によって解決された。有利な実施例は従属請求項に記載されている。
【００１２】
本発明は、プラグとソケットとから形成された圧接結線接続において、プラグ部分が次のように構成されていることに基づいている。つまり、電気的な接触を形成する前にプラグ部分が、（少なくとも接触しようとする）プラグの電気的な導線を接触側で電気的に完全に絶縁する成形部によって取り囲まれるように構成されていることに基づいている。次いで電気的な接触は、コンタクトエレメントがプラグの相応の電気的な導線内に食い込むことによって行われる。成形部は、プラグ導線と一体的に結合されるか又は別個の部分として構成することができ、有利にはプラグが接触のために導入される、ソケットの対応する切欠に対してほぼ相補的（ｋｏｎｍｐｉｒｉｍｅｎｔａｅｒ；互いに補い合う）な形状を有している。プラグは、実施形状に応じて、プラグ導線の引張方向でプラグ導線に対して垂直に又は任意の角度を成してソケット内に導入され、この場合、適当な形状によって、接続を解除するための及び／又はケーブルを引き抜くための引張力を規定及び確定することができる。
【００１３】
公知の圧接結線接続（特に上記ヨーロッパ公開特許第１３１７０５号明細書又は国際公開第９８／２９０３１号明細書参照）においては、大抵の場合、ケーブル絶縁部によって絶縁されたケーブルだけが相応のカッタによって切り開かれ、電気的な導線の接触側の端部（一般的に切り落とされるだけである）が不都合な電気的接触を生ぜしめることがある。これに対して本発明によれば、成形部によって、電気的な導線の接触側の端部のための電気的な絶縁も得られ、それによって不都合な電気的接触は避けられる。
【００１４】
しかも成形部と相応のソケット切欠とのほぼ相補的な形状によって、圧接切断過程は正確に、かつ規定された導入位置で実現される。さらにまた適当なコード化及び／又は錠止機構は、それぞれの使用形式に応じて用いることができる。
【００１５】
本発明による解決策は特に、胎児頭皮電極のために必要とされた安全な接触を可能にするために適している。勿論本発明による解決策は、一般的な医学的分野又は特別な胎児頭皮電極だけに限定されるものではなく、プラグ側に少ない差込み繰り返し回数しか要求しない、すべての差込み結合部のために適している。このようなプラグ側に少ない差込み繰り返し回数しか要求しない場合とは特に、解除可能な接触が得られるが、標準的には１回又は少数回の開閉しか必要としない、使い捨て用品又はその他の使用に関するものである。
【００１６】
本発明の解決策を特に胎児頭皮電極に使用する場合、安全規定は安価なコストで確実に維持される。しかも電気的な接続過程はすべての使用のために著しく簡単である。使用者は一般的な形式で安全手袋を装着し、この安全手袋は胎児頭皮電極を膣から導入することによって濡れるので、従来一般的なスプリングジョー（Ｆｅｄｅｒｂａｃｋｅｎ）の操作及び絶縁された心線の挿入は簡単ではない。これは本発明による差込み接続部によって著しく改善された。何故ならば使用者は手によってもプラグを確実に操作することができるからである。
【００１７】
それぞれの使用分野とは無関係に、本発明による解決策によれば、少ない差込み繰り返し回数のために必要な差込み接触が適当なコストで得られる。特に本発明によれば、差込み接続部の一部だけ有利には絶縁されたプラグ部分だけを非常に安価に製造することができる。この場合、差込み接続部の第２の部分は、現在用いられている解決策に相当するコストで製造される（例えば絶縁された心線を錫メッキするためのコストはケーブルを本発明によりプラグによって射出成形で被覆するコストに相当する）。このことはつまり、本発明による解決策の原則の利点は、特に、例えばプラグが安価であって少ない差込み回数のためにだけ必要される差込み接続部のためのコストにあるということである。これによって本発明は特に、衛生上の理由によりまさに医学的な分野でしばしば利用される使い捨て用品のために適している。
【００１８】
本発明による差込み接続部の有利な実施例によれば、ケーブルの一方側で、（有利には絶縁されていない）ケーブル上に存在するプラグ部分が、有利にはプラスチックによってケーブルが射出成形で被覆されていて、接触しようとする他方側でプラグ部分を受容するためのソケット部分を有している。特にプラグ部分のための、ケーブル絶縁のための同じプラスチック材料を使用することによって、プラグ部分とケーブル絶縁部との間の良好な接続が得られる。この場合、ケーブル側のプラグ部分は、有利な形式で回動防止されたソケット部分の開口内に挿入されるように成形されている。挿入過程中に、ソケット部分の開放したスペース内に突入するコンタクト圧接エッジは絶縁部を通ってケーブル導線内に食い込み、それによってソケット部分のコンタクト部とケーブル導線との間の電気的な接続が得られる。これに相応して、多数のケーブル導線が存在する場合には、多数のコンタクト圧接エッジを設けることができ、これらの圧接エッジは、それぞれソケット部分のコンタクト部とそれぞれのケーブル導線との間の電気的な接続が形成される。
【００１９】
有利な実施例によれば、ソケット部分は、取り出し可能若しくは交換可能な部分として設けられており、それによって例えば、切れ味が鈍くなった場合に又はソケット部分を洗浄或いは滅菌するために、ソケットを迅速に交換することができる。それぞれに使用に応じてソケット部分は使い捨て用品として構成することもできる。
【００２０】
別の実施例では、ソケット部分は、例えばカッタ装置又は脚プレート（胎児頭皮電極において）等の接続エレメントに差し込み可能に接続され、それによって迅速かつ簡単な交換が保証される。この場合、この差込み接続部を相応に設計及び／又は寸法構成することによって、場合によっては必要な引張力が得られる。この引張力によって、ソケット部分は引張力を受けて接続エレメントとの接続から解除される。これは特に、胎児頭皮電極などの医学的な使用分野において必要であるか又は望まれている。
【００２１】
プラグは有利な形式で、規定回数だけ圧接結線接続が実施された後でもまだ電気的な絶縁が保たれるように（これが場合によっては限定的な範囲内であるにせよ）構成される。これは例えば、ケーブル絶縁部及び／又は成形部の適当な材料選択及び／又は寸法選定によって得られるので、例えばケーブル絶縁部及び／又は成形部は、圧接結線接続部の解除後に所定の程度だけその初期位置に（圧接結線接続の形成前）戻るようになっている。これに応じて、適当な空気通路を設けることによって、圧接結線接続の解除後に不都合な電気的接触の危険に対して対処することができる。
【００２２】
図面の簡単な説明
本発明を以下に図面を参照しながら説明する。図面中、同じ特徴又は類似の特徴を有する部材には同じ符号を記した。
【００２３】
図１は、本発明による電気的な差込み接続部の有利な実施例、
図２は、図１に示したプラグ部分２０を拡大して、異なる方向から見た図、
図３のＡ及び図３のＢは、図１に示したソケット３０の拡大した詳細を示す図、
図４のＡ及び図４のＢは、カッタ５０の選択的な実施例を示す図、
図５は、カッタ５０の適当な実施例を示す図、
図６は、ソケット部分３０の実施例を示す図、
図７のＡ〜図７のＣは、本発明の別の実施例を示す図である。
【００２４】
図面の説明
図１は、本発明の電気的な差込み接続部１０の有利な実施例が示されている。この場合、プラグ部分２０（以下では単にプラグとも称呼されている）は、部分的に断面して示されたソケット部分３０（以下では単にソケットとも称呼されている）内にガイドされている。プラグ２０及びソケット３０の形状は、互いに合致されており、この場合、プラグ及びソケットの用語は、本発明では、プラグ部分がソケット部分のソケット通路３５内に導入可能である（又は差し込み可能である）という意味で用いられている。ソケット３０に結合されたコンタクト４０Ａは、プラグ部分２０に向けられた側で（コンタクト）圧接エッジ５０Ａ（図１では一部だけ示されている）を有している。圧接エッジ５０Ａは、接触状態で、ソケット３０のコンタクト部分４０Ａ（有利な外方に向かってガイドされている）と、プラグ２０の相応の電気的な導線との間の電気的な接触を形成する。
【００２５】
図１に示した実施例では、プラグ２０は２つのケーブル（又は心線）６０Ａ及び６０Ｂを有しており、これらのケーブルは、それぞれ被覆され、従って絶縁された電気的な導線（図２の符号６３参照）を有している。コンタクト４０Ａの圧接エッジ５０Ａは、導線６０Ａへの電気的な接触を形成し、相応の圧接エッジ５０Ｂを備えた別のコンタクト４０Ｂ（図１の選択的な実施例ではそれぞれ図示されていない）は、導線６０Ｂとの接触のために設けられている。
【００２６】
プラグ部分２０は有利な形式で、例えばプラスチック射出成形によって被覆されていて、絶縁されたケーブル６０を形成しており、これはプラグ部分２０の安価な製造が可能である。図１に示した２つの絶縁された心線６０Ａ及び６０Ｂの代わりに、使用に応じて１つ又は多数の心線６０を使用してもよい。
【００２７】
図２には図１に示したプラグ部分２０を拡大して異なる方向から見た図が示されている。プラグ部分２０の外側形状は、ソケット３０の外側形状に対してほぼ相補的であって、これによってプラグ２０とソケット３０との互いに差し込みが保証される。
【００２８】
図１及び図２に示した実施例では、プラグ部分２０は有利にはさらに適した外側形状を有していて、これによって、ソケット部分３０に対するプラグ部分２０の位置決めが保証され、不都合な回動が避けられる。このような形式で、多数のケーブル６０において、例えば個別の極性の正しいコンタクト、若しくは個別のケーブル６０をそれぞれ相応のコンタクト４０に対応配置することが確実に行われる。図１及び図２に示した実施例では、プラグ部分２０はそのソケット３０に向いた側で、互いに鏡面対称的に押しつけられていて、逆Ｆ字形（別の言い方をすれば、ヘッド部水平線に対して平行な中央ステーを備えた逆Ｔ字形）の形状を有している。これによって得られた、相応の中央水平Ｈ（導入方向）に対して非軸線対称的な（及び図２では上側の水平線の上側に位置している）ヘッド部又はウエブ５７が、プラグ２０をソケット３０内に正しい位置決めで導入することができる。
【００２９】
プラグ部分２０（特に端面側７０に応じて）を適当に形状付与することによって、さらに、例えば不適当なソケット３０に不都合に接続されるのを阻止するために、種々異なるプラグ型式をコード化することができる。
【００３０】
プラグ部分２０を回動防止する必要がない場合には、プラグ部分２０及び特に端面側７０を相応に（軸線又は点）対称的に構成することができるので、プラグ部分２０とソケット３０とのそれぞれの接触は、大きい回転角度例えばそれぞれ１８０゜で可能である。この場合、例えばＨ形状（例えば図２に示したように横向きで）又はこれと類似のものが適している。
【００３１】
プラグ部分２０の適当に構成された形状付与（有利にはケーブル６０を被覆するか又は射出成形することによる）は、プラグ側で絶縁されたケーブル６０を包囲していて、プラグの位置を固定し、プラグを保持する。圧接エッジ５０がそれぞれの心線６０に係合するプラグ部分２０の側に、有利な形式で凹部又は切欠８０が設けられており、この切欠８０は、カッタ５０が本来の接触の前に不必要に負荷されるのを避ける。
【００３２】
差込み方向でケーブル６０のケーブル端部を十分に絶縁するために、このケーブル端部は有利な形式で端面側７０まで達しているのではなく、この端面側７０に対して所定の間隔を保つように構成されている。絶縁をさらに高めるために、有利な実施例では、それぞれのケーブル６０の端部と切欠８０との間に、有利にはプラスチックより成る薄い層９０が設けられている。
【００３３】
図２の下側部分に図示されているように、ケーブル６０は有利には（電気的な）導線６３と、この導線６３を取り囲む絶縁部６５とから構成されている。この場合、導線６３は、個別導線であるか又は多数の個別ファイバ導線又は素線より成っていてよい。勿論、本発明は、このような図２に示したケーブルの接触だけに限定されるものではなく、その他の任意のケーブルを使用してもよい。特に、プラグ部分３０は絶縁部６５に接続されるのではなく、導線６３に直接当接していてよいので、例えばプラグ側で絶縁部６５が取り除かれたケーブルを使用することもできる。
【００３４】
図３のＡ及び図３のＢは、図１に示したソケット３０の拡大した詳細を示しており、この場合図３のＡはソケット３０の斜視図、図３のＢはＡ−Ａ線に沿った断面して矢印Ａ方向で見た図を示している。コンタクト４０Ａ及び４０Ｂは、ソケット通路３５の互いに逆側に突き出しており、この場合、圧接エッジ５０Ａ及び５０Ｂはそれぞれソケット通路３５内に侵入している。
【００３５】
ソケット通路３５の形状付与は、互いに容易に接合できるようにするために、プラグ２０の形状付与にほぼ対応している。それと同時にソケット通路３５の形状付与は、プラグ２０の、場合によっては構成される回動防止及び／又はコード化に合わせられていて、それに応じて回動防止部材及び／又はデコード部材を有している。図３のＡ及び図３のＢに示した実施例では、ソケット通路３５は、図２に示したプラグ２０の形状付与に応じて、ウエブ７５に対応する切欠３７を有している。
【００３６】
図３のＡ及び図３のＢでは、コンタクト４０の、圧接エッジ５０とは反対側の端部が、極端に接触させるためにソケット３０のケーシングから突き出している。勿論、それぞれに使用状況に応じて、コンタクト４０をソケット３０から任意の別の形状で突き出すガイド又はその他の構成も可能である。従って例えばコンタクト４０を、ソケット３０内でケーブル軸線方向に貫通ガイドさせて、ソケット通路３５のプラグ導入開口とは反対側の、ソケット３０の側から突き出すことができる。
【００３７】
プラグ２０（図２参照）をソケット部分３０（図３のＢ参照）内に挿入すること（図１参照）によって、接触が形成される。（コンタクト）圧接エッジ５０は、有利にはカッタ５０として構成されていて、導入過程中にまずプラグ２０の切欠又はスリット８０（図２参照）内に滑動案内し、次いで（安全性の理由から、接触保護を保証するために）、絶縁されたケーブル６０内に所定の深さだけ切り込み、（電気的な）接触を形成するようになっている。
【００３８】
図４のＡ及び図４のＢは、多数の個別のケーブル列６０ｉ（ｉ＝Ａ，Ｂ，…）を備えたケーブル６０との接触のための圧接エッジ５０が示されている。図４のＡでは、ケーブルが互いに平行に一列に並んで配置されている。それに応じてソケット３０は、一列に互いに並んで配置された多数のコンタクト圧接エッジ５０ｉを有している。これに対して図４のＢでは、プラグ２０が互いに平行に２列のケーブル６０ｉを有していて、それに応じてソケット３０はそれぞれ一列のコンタクト圧接エッジ５０ｉを、ケーブル列６０ｉの上側及び下側に有している。
【００３９】
有利な実施例では、ケーブル６０ｉの絶縁のために、プラグ部分２０のための材料と同じ材料、有利にはプラスチックが使用されている。プラスチックを使用した場合、有利にはプラグ部分２０はこのプラスチックによってケーブル６０ｉが射出成形で被覆されている。ケーブル６０ｉ及びプラグ部分２０の被覆／絶縁のための材料を相応に選択することによって、また有利には同じ材料を使用することによって、これらの材料の緊密な結合が保証される。
【００４０】
有利な実施例では、コンタクト圧接エッジ又はカッタ５０ｉは、非常に硬くて錆びにくく、良好なコンタクトが得られる材料から製造されている。さらにまた、コンタクトカッタ５０ｉは、十分に多い反復差込み回数を保証するために、できるだけ長期にわたって鋭利な状態が維持されるように成形されている。
【００４１】
切欠８０を設けることによって、及びひいてはソケット部分３０のソケット通路３５内にプラグ部分２０が十分長く正確にガイドされることによって、コンタクト４０ｉの圧接エッジ５０ｉに横方向力が加えられることはなく、ひいては圧接エッジ５０ｉの破壊が避けられる。圧接エッジ５０ｉ自体においては、圧接切断を行う部分と、コンタクトをガイドする部分とを区別しなければならない。圧接切断を行う部分は、常に鋭利な部分を保つようにするためにできるだけ長くなければならない。これに対して、コンタクトを形成する部分は、すべてのファイバ（又は素線）が同時に切り裂かれるのを避けるために、できるだけ傾斜して、例えばケーブル６０ｉ内に存在する素線に対して４５゜よりも小さい角度を成すように構成されなければならない。
【００４２】
図５には、圧接エッジ５０の適当な構成が示されている。圧接エッジは、ケーブル６０の導線６３との接触を形成するための、有利には約４０゜〜５０゜（特に有利には４５゜）の角度だけ折り曲げられた第１の領域を有している。この第１の領域１５０に第２の領域１６０が続いていて、この第２の領域１６０は、有利には約１０゜〜３０゜（特に有利には２２゜）だけ折り曲げられていて、絶縁部６５と導線６３のほんの一部とを切り込む。実験によれば、このような構成の圧接エッジは６００回の反復差込み回数が可能であることが分かった。
【００４３】
図６には、有利な実施例によるソケット部分３０の上方及び側方から見た図が示されており、この実施例では、プラグ２０が、ソケット３０とは逆方向に引き抜くことによってソケット３０から解除されるようになっている。この解決策では、例えば切断力が弱くなった場合、又はソケット３０を洗浄或いは滅菌するために、ソケット部分３０を容易に交換することができる。一方側で本発明による圧接エッジ形ソケット３０を有するプラスチック体３００が、押しボタン式結合部材３２０を用いて支持体３１０（例えばスタンダード型ＥＫＧケーブル電極）にスナップ式に被せ嵌められる。スタンダード型ＥＫＧケーブル電極３２０の場合には、この電極３２０は、プラスチック体３００と協働して例えば、患者の脚に固定するためのパッシブな脚プレートを形成する。プラスチック体３００は有利には他方側で、別のコンタクト結合部３３０例えばアメリカ合衆国特許第５６１５６７４号明細書によるソケットを有している。
【００４４】
プラグ２０とソケット３０との結合時、及び例えばケーブル６０に引張負荷を加えた時（図６には示されていない）に、プラスチック体３００は押しボタン式結合部材３２０を中心にして引っ張り方向で回転する。これによって引張力が常にプラグ２０の引き出し方向に作用し、差し込み結合を容易に解除することができる。
【００４５】
プラグ２０は、有利な形式で、圧接切断過程に伴って作用する摩擦力によってソケット３０内で保持される。勿論、このような緊締結合と共に又はその代わりに、例えば錠止及び／又は固定（例えばピボット又はピンによる）による別の保持形式を用いることも可能である。
【００４６】
本発明によるコンタクトシステムの有利な実施例は、胎児頭皮電極の接触のためのものをサンプル的に示したものである。これは特に図１〜図３に示されているが、この図１〜図３は、胎児頭皮電極のための使用に限定されるものではない。
【００４７】
プラグ部分２０（安価な部分として）は、図２の右側に示されていて、左側には圧接エッジ５０のための切欠８０が示されており、圧接エッジ５０は、図３のソケット側に示されている。切欠８０の領域内で、圧接エッジ５０は自由であって、プラグ２０に係合していない。プラグ２０をさらにソケット３０内に導入すると（切欠８０の領域を越えて）、有利には非常に短い絶縁層９０が断ち切られ、次いで絶縁部６５を備えたケーブル６０の導線６３が切り開かれ、プラグ部分２０をさらに押し込むと、導線６３の銅素線との接触が形成される。
【００４８】
回動防止として、及びソケット３０とプラグ２０との間のガイドを改善するために、プラグ２０の上部領域にウエブ７５が設けられていて、ソケット通路３５の上部領域に、ウエブ７５を補完する切欠３７が設けられている。この切欠３７は、プラグ２０がソケット３０内に整列されながら導入されることを保証する。
【００４９】
図１及び図２に示された、プラグ２０のストッパ２００は、導入過程を止めるために設けられている。この場合、プラグ２０のストッパ２００は、プラグに向けられたソケット３０の正面に当接する。このストッパ２００は、特に胎児において使用する場合に効果的である。何故ならば、ソケット通路３５が汚れている場合に、この汚れをソケット通路３５の後ろの領域に押しやり、ここで図１に示した開口２１０を通して外に押し出すことができるからである。これはソケット通路３５の端面に設けられたストッパでは保証されない。
【００５０】
プラグ部分２０を形成するために、図１に示したケーブル６０Ａ及び６０Ｂが適当な工具内に挿入され、左右で位置保持される。次いでプラスチック体とケーブル６０の絶縁部６５との間の結合を形成するプラスチック射出成形過程が行われる。これによってプラグ２０は機械的に頑丈になり、良好にソケット３０内に挿入することができる。ケーブル口金及び折れ曲がりに対する保護は設けることができるが、胎児頭皮電極に使用するためには必要ない。何故ならば胎児頭皮電極に使用する場合には、所望のプラグ２０は有利には非常に小さく延性だからである。
【００５１】
プラグ部分２０を胎児頭皮電極と接触させるために設けられたソケット３０は、図３のＡ及び図３のＢに示したように構成されているが、別の形状を有していてもよい。コンタクト４０と堅固に結合されている圧接エッジ５０は、有利な形式でソケット３０内の正しい位置に堅固に射出成形されている。圧接エッジ５０自体は有利な形式で図５に示した形状を有している。
【００５２】
ソケット３０は、有利な形式で図６に従って、アメリカ合衆国特許第５６１５６７４号明細書に記載されたスタンダード型胎児ソケット３３０（Ｓｔａｎｄａｒｄ−Ｆｅｔａｌ−Ｂｕｃｈｓｅ３３０）と共に、押しボタン式結合部材３２０を用いて、プラスチック体３００内でスタンダードＥＫＧケーブル電極３１０にスナップ式に被せ嵌められる。
【００５３】
図７のＡ〜図７のＣは本発明の別の実施例を示している。図１に示した緊締差込み結合においては、接触過程がほぼケーブル軸線方向で行われ、これに対して図７に示した緊締差込みにおいては、接触過程ケーブル軸線に対してほぼ垂直方向で行われる。
【００５４】
図７のＡに示した斜視図では、プラグ部分２０が矢印方向でソケット部分３０のソケット通路３５内に導入される。圧接エッジ５０は接触状態で、ケーブルを介して外に導出されたソケット３０のコンタクト４０と、これに対応するプラグ２０の電気的な導線６０との間の電気的なコンタクト（接触）を形成する。図７に示した実施例では、プラグ２０とソケット３０とはそれぞれ２つの絶縁されたケーブルを有している。
【００５５】
プラグ２０とソケット通路３５との合致し合うほぼ相補的な形状によって、プラグ２０とソケット３０との電気的な接触が互いに堅固に関連づけされるので、接触しようとするケーブルが多数ある場合に、２つの可能性だけ、つまり図１及び図７のＡに関連して図示された差込み方向又は、ケーブル軸線を中心にして１８０゜回転せしめられたプラグ２０に応じた２つの可能性だけが許容される。前述のように、このような組み合わせの可能性は、相応にコード化するか又はその他の適当な手段によって１つの可能性だけに限定される。
【００５６】
図７のＡでは、以上のような組み合わせの制限が、プラグ部分２０内の有利には鼻状部又は突起７００によって行われる。この場合、突起７００は、側方の導入形式（このために、図７のＡではプラグ２０を１８０゜だけ回転させなければならない）において、ソケット通路３５内の対応する切り込み部又は凹部（図７のＡには図示されていない）と協働する。このような形式のコード化の代わりに、又はこのようなコード化と組み合わせて、突起７００をばね弾性的に構成し、それによって突起７００がソケット通路３５内に設けられた対応する凹部７１０と協働し、正しい導入方向で、規定可能な所定の導入深さで、例えばスナップ結合の形式で凹部７１０内に係止するようにしてもよい。導入が行われないと、突起７００は、２つの導入方向が許容されないようにばね弾性的に構成されている。この場合、第１の導入方向（これに相応して突起７００と凹部７１０とが一緒にガイドされる際に）、係止が（場合によっては安全性が高められて）行われ、これに対して第２の導入方向（突起７００と凹部７１０とを一緒に導入することなしに）は、勿論係止なしで、同様に許容される。
【００５７】
図７のＡに示したプラグ２０とソケット３０との接合は、矢印方向で行われる。この場合、電気的な接触を形成するために、プラグ２０が、ソケット通路３５内に存在する圧接エッジ又はカッタ５０に対して押しつけられる。この場合、図７のＡに示した実施例では、各ケーブル６０のためにそれぞれ２つのカッタ５０が設けられており、これらのカッタ５０は、ケーブル方向で種々異なる位置に作用する。この場合、一緒のガイドは、手によって又は適当な装置、例えばレバー機構又はこれと類似のものによって行われるか補助される。さらにまた、プラグ２０とソケット３０とが結合された後で、この結合は、適当な被覆又は閉鎖によって、汚れの侵入及び／又は不都合な開口に対して保護される。被覆／閉鎖に加えて、解除／取り出し機能も有しているので、プラグ２０とソケット３０との分離が機械的に補助される。
【００５８】
図７のＢには、図７のＡに示したプラグ２０の有利な実施例が示されている。この実施例ではプラグ２０は、上部７５０と下部７６０とから組み合わされている。２つの（絶縁された）ケーブル６０Ａ及び６０Ｂ（それに応じて１つだけの又は２つ以上のケーブルであってよい）は、プラグ２０を組み立てるために、上部７５０又は下部７６０の相応に構成されたケーブル通路７７０Ａ及び７７０Ｂ内に挿入され、次いでプラグ２０（同様に相応のケーブル通路７７０Ａ及び７７０Ｂを備えている）の対応する対抗部材と組み合わせられ、この場合上部７５０と下部７６０とがケーブル６０Ａ及び６０Ｂを固定する。上部７５０と下部７６０との間の寸法を相応に合致させることによって（特にケーブル通路７７０Ａ及び７７０Ｂの直径）、ケーブル６０を引き出す（矢印方向とは逆方向に）ために必要な引き出し力が調節される。同様に、上部７５０及び下部７６０の相応の構成及び形状付与を介して、上部７５０と下部７６０との間の解除不能な又は、程度の差はあるが容易に解除可能な結合が得られるので、プラグ２０は組立後に使い捨て部分として構成されるか又は場合によっては再使用可能である。
【００５９】
図７のＣには、特に、図７のＢに図示された下部７６０の特別な構成で、１８０゜回転されていて、既にケーブル６０と上部７５０とに結合されている状態が示されている。この場合、下部７６０は、各ケーブル６０のために少なくとも１つの切欠７８０をケーブル通路７７０の領域内で有しているので、カッタ５０はケーブル絶縁部の直ぐ下に挿入することができ、まずプラグ２０を切断する必要はない。これによって、カッタ５０は大切にされる。しかもこれによって、プラグ２０も厚壁で及び／又は硬い材料から圧刻成形することができる。
【００６０】
図７のＡから分かるように、ソケット３及びプラグ２０はそれぞれ、ケーブル４０及び６０のケーブル端部に位置するように構成されている。
【図面の簡単な説明】
【図１】  本発明による電気的な差込み接続部の有利な実施例を示す、一部断面した概略的な斜視図である。
【図２】  図１に示したプラグ部分２０を拡大して、異なる方向から見た図である。
【図３】  Ａ及びＢは、図１に示したソケット３０の拡大した詳細を示す図である。
【図４】  Ａ及びＢは、カッタ５０の選択的な実施例を示す図である。
【図５】  カッタ５０の適当な実施例を示す図である。
【図６】  ソケット部分３０の実施例を示す図である。
【図７】  Ａ〜Ｃは、本発明の別の実施例を示す図である。
【図１】
0004567209.tif 000002
【図２】
0004567209.tif 000003
【図３Ａ】
0004567209.tif 000004
【図３Ｂ】
0004567209.tif 000005
【図４Ａ】
0004567209.tif 000006
【図４Ｂ】
0004567209.tif 000007
【図５】
0004567209.tif 000008
【図６】
0004567209.tif 000009
【図７Ａ】
0004567209.tif 000010
【図７Ｂ】
0004567209.tif 000011
【図７Ｃ】
0004567209.tif 000012